(57)【要約】【課題】パタークラブのヘッドを、正しい姿勢で、目標に向かって真っ直ぐにストロークする練習ができ、ストロークの癖がわかりやすく、携帯しやすい装置を提供する。【解決手段】ベース部材１０の２ヵ所にクランプ１６で取り付けられる支持具１４によって、紐状体又は棒状体の一対の接触体１８が、空中に並行に直線的に支持される。パタークラブ６のヘッド８の近くに取り付けられるアタッチメント２０を構成する検知体２２は、コの字状又はL字状断面を有する。このコの字状は、パタークラブ６のヘッド８が正しい位置と姿勢であれば、一対の接触体１８をそれぞれ非接触で挟んだ状態にできる。練習において、検知体２２が接触体１８との接触を検知すると音又は光により警告が発せられる。検知体２２は、コの字状又はL字状断面の縦辺部２４、及び上辺部又は下辺部に配置される複数の接触センサー３０Ａ，３０Ｂ，３０Ｃ等を有し、いづれの接触センサーにおいて検知が起きたかにより異なる警告が発せられる。【選択図】図1
2008136304.tif 000002
【特許請求の範囲】
【請求項１】
ゴルフパタークラブのヘッドを目標に直線的にストロークするための練習装置であって、
（１）地面に置かれる長物のベース部材（１０）と、
（２）このベース部材の長手方向の２ヵ所に設けられる支持具（１６）と、
（３）これらの支持具により空中に平行に直線的に支持される紐状体又は棒状体の一対の接触体（１８）と、
（４）前記パタークラブのヘッド（８）の近くに取り付けられるアタッチメント（２０）    と、
（５）このアタッチメントを構成しパタークラブのヘッドが正しい位置と姿勢であれば前記一対の接触体（１８）をそれぞれ非接触で挟んだ状態にできるコの字状、またはL字状の断面を有する二つの検知体（２２）と、
（６）この検知体が前記接触体との接触を検知すると音又は光により警告を発する警告回路と、
を有することを特徴とするゴルフパター練習装置。
【請求項２】
前記検知体は、前記コの字状またはL字状断面の縦辺部、及び上辺部及び/又は下辺部に配置され前記接触体との接触を検知できる複数の接触センサーを有し、前記警告回路は、前記縦辺部、及び上辺部又は下辺部のいづれの接触センサーにおいて検知が起きたかにより音又は光により異なる警告を発することを特徴とする請求項１に記載のゴルフパター練習装置。
【請求項３】
前記検知体は、前記コの字状又はL字状断面の縦辺部、及び上辺部及び/又は下辺部に配置され前記接触体との接触を検知できる複数の接触センサーを有し、各接触センサーのいづれにおいて検知が起きたかにより音又は光により異なる警告を発することを特徴とする請求項１、または２に記載のゴルフパター練習装置。
【請求項４】
前記パタークラブのヘッドの近くに取り付けられる前記アタッチメントは、半割形状をなし、半割の分割ラインに沿って設けられる板バネにより、クリップ式の取付けを行う構造を有することを特徴とする請求項１から３のいずれかに記載のゴルフパター練習装置。
【請求項５】
前記ベース部材は、前記パタークラブ以外のゴルフクラブに代えて棒状体を用い、前記支持具は、前記ベース部材に着脱可能に取り付けられるクランプを有することを特徴とする請求項１から４のいずれかに記載のゴルフパター練習装置。
【請求項６】
前記ベース部材は、長手方向に伸縮可能であり、前記支持具は、前記ベース部材に着脱可能に取り付けられるクランプを有し、支柱及び、前記接触体を支持する支持腕が伸縮可能であることを特徴とする請求項１から５のいずれかに記載のゴルフパター練習装置。
【請求項７】
前記支持具は、伸縮可能な機構を有することを特徴とする請求項１から６のいずれかにに記載のゴルフパター練習装置。
【請求項８】
前記紐状体又は棒状体の接触体（１８）は、通電されたステンレス鋼の線材を含む金属線材で、前記検地体の内側に電気接点を備えた検知体であることを特徴とする請求項１から７にいずれかに記載のゴルフパター練習装置。
【請求項９】
前記紐状体又は棒状体の接触体（１８）は、紐状又は棒状体は中空体であって、その内部に配線された複数のLEDを備え、一端に２個の金属板が弾性体を挟んで備えられ、それぞれの金属板に電池の電極に接続され、前記紐状体又は棒状体がパタークラブにより伸張されると前記金属板が接触して、導通し、前記LEDが点灯する構成となっていることを特徴とするパター練習機。
【発明の詳細な説明】
【技術分野】
【０００１】
この発明は、パタークラブのヘッドを目標に向かって真っ直ぐにストロークするための練習装置の構造に関する。
【背景技術】
【０００２】
ゴルフでパタークラブでの打撃が上手になるには、パタークラブのヘッドを、プレーヤが正しい姿勢を保って、打撃目標（ホールカップ）に向かって真っ直ぐにストロークすることが重要である。また、望ましくは、打撃目標の距離を目視により定めたときに所定のスピードでストロークすることが重要である。このストローク練習のために、下記の特許文献１には、ほぼ平行な２本の糸の間にボールを置いて、糸の下で、糸にパタークラブが触れないようにパッティング練習する装置が記載される。
【特許文献１】特開2003-10377
【発明の開示】
【発明が解決しようとする課題】
【０００３】
しかしながら、特許文献１では、パタークラブを打撃目標（ホールカップ）に向かって、糸に触れないように、水平面内で真っ直ぐにストロークすることは、練習できるものの、以下の点で課題が残るものであった。
（１）パタークラブが糸に触れたことを、パタークラブを通しての振動を感じ取るか、糸の動きを目視するかにより認識するしかなく、触れたことが認識し難い。
（２）垂直面内で真っ直ぐでなく、湾曲したストロークであっても、紐体に触れないこともあるので、練習は不完全となる。【０００４】
（３）パタークラブのヘッドの移動を目標に向かって、真っ直ぐに行うだけでなく、このヘッドの姿勢も正しい姿勢を保たなければならないが、プレーヤの姿勢が傾いても、糸に触れないこともあるので、練習は不完全となる。
（４）人口芝生やホールカップなどと一体になっており、携帯に不便である。
この発明は、以上の課題を解決するために、パタークラブが糸に触れたことがわかりやすく、水平面内だけでなく垂直面内でも真っ直ぐで、ヘッドの向きも正しい姿勢を保つ打撃ストローク練習ができ、携帯に便利なゴルフパター練習装置を提供することを目的とする。
【課題を解決するための手段】
【０００５】
以上の課題を解決するために、下記の発明を提供する。
第１の発明は、
ゴルフパタークラブのヘッドを目標に直線的にストロークするための練習装置であって、
（１）地面に置かれる長物のベース部材（１０）と、
（２）このベース部材の長手方向の２ヵ所に設けられる支持具（１６）と、
（３）これらの支持具により空中に平行に直線的に支持される紐状体又は棒状体の一対の接触体（１８）と、
（４）前記パタークラブのヘッド（８）の近くに取り付けられるアタッチメント（２０）と、
（５）このアタッチメントを構成しパタークラブのヘッドが正しい位置と姿勢であれば前記一対の接触体（１８）をそれぞれ非接触で挟んだ状態にできるコの字状、またはL字状の断面を有する二つの検知体（２２）と、
（６）この検知体が前記接触体との接触を検知すると音又は光により警告を発する警告回路と、
を有することを特徴とするゴルフパター練習装置である。
上記装置により、パターの打撃が目標に向かっていることを確認できるので練習機として効果がある。  【０００６】
第２の発明は、前記検知体は、前記コの字状またはL字状断面の縦辺部、及び上辺部又は下辺部に配置され前記接触体との接触を検知できる複数の接触センサーを有し、前記警告回路は、前記縦辺部、及び上辺部及び/又は下辺部のいづれの接触センサーにおいて検知が起きたかにより音又は光により異なる警告を発することを特徴とするゴルフパター練習装置である。
この装置により、パターのクラブヘッドが目標に向かっていることを確認できる効果がある。【０００７】
第３の発明は、前記検知体は、前記コの字状又はL字状断面の縦辺部、及び/又は上辺部又は下辺部に配置され前記接触体との接触を検知できる複数の接触センサーを有し、各接触センサーのいづれにおいて検知が起きたかにより音又は光により異なる警告を発することを特徴とするゴルフパター練習装置である。
この練習機により、目標に向かってストロークできたかどうか判断できる効果がある。【０００８】
第４の発明は、前記パタークラブのヘッドの近くに取り付けられる前記アタッチメントは、半割形状をなし、半割の分割ラインに沿って設けられる板バネにより、クリップ式の取付けを行う構造を有することを特徴とするゴルフパター練習装置である。
上記練習機は比較的に簡単にクラブにアッタチチメントを取り付けることができる。【０００９】
第５の発明は、前記ベース部材は、前記パタークラブ以外のゴルフクラブに代えてを棒状体を用いるものであり、前記支持具は、前記ベース部材に着脱可能に取り付けられるクランプを有することを特徴とするゴルフパター練習装置である。
上記練習機は、パタークラブ以外のベース部材を利用できる利点がある。【００１０】
第６の発明は、前記ベース部材は、長手方向に伸縮可能であり、前記支持具は、前記ベース部材に着脱可能に取り付けられるクランプを有し、支柱及び、前記接触体を支持する支持腕が伸縮可能であることを特徴とするゴルフパター練習装置である。【００１１】
第７の発明は、前記支持具は、伸縮可能な機構を有することを特徴とするゴルフパター練習装置である。【００１２】
第８の発明は、前記紐状体又は棒状体の接触体（１８）は、通電されたステンレス鋼の線材を含む金属線材で、前記検地体の内側に電気接点を備えた検知体であることを特徴とするゴルフパター練習装置である。
ステンレス鋼の線材はさびなく、検地体の電気接触点に接触すると通電し、接触したことを簡単に認識できる利点がある。【００１３】
第９の発明は、前記紐状体又は棒状体の接触体（１８）は、紐状又は棒状体の中空体であって、その内部に配線された複数のLEDを備え、一端に２個の金属板が弾性体を挟んで備えられ、それぞれの金属板に電池の電極に接続され、前記紐状体又は棒状体がパタークラブにより伸張されると前記金属板が接触して、導通し、前記LEDが点灯する構成となっていることを特徴とするパター練習機である。
LEDは小さい電池で発光し、練習機自体を軽量とし、ストロークが正しかったかどうかどうかを容易に判断できる。
【発明の効果】
【００１４】
上記第１から第９の発明により、検知体が接触体との接触を検知すると音又は光により警告が発せられるので、パタークラブが接触体に触れたことがわかりやすい。また、コの字状又はL字状断面を有する二つの検知体が、一対の接触体をそれぞれ非接触で挟んだ状態にされるので、水平面内だけでなく垂直面内でも真っ直ぐで、しかも、ヘッドの姿勢も正しい姿勢を保つストロークを行わないと、検知体に接触体が接触するので、より完全な打撃ストローク練習ができる。
【発明を実施するための最良の形態】
【００１５】
この発明の第一実施形態を、図１から図６に示す。
（全体概略）
図１に示すように、この実施形態のゴルフパター練習装置２は、ゴルフボール４を打撃するパタークラブ６のヘッド８を真っ直ぐにストロークするための練習装置である。なお、図面は左打ちの場合を示す。
地面に置かれる長物のベース部材１０として、練習に使用するパタークラブ６以外のゴルフクラブ１２を利用する。このベース部材１０の長手方向の２ヵ所に、支持具１４がクランプ１６によって着脱可能に取り付けられる。これらの一対の支持具１４により、紐状の一対の接触体１８が支持される。これらの接触体１８は、空中に平行に、直線的に支持される。【００１６】
練習は、パタークラブ６を両接触体１８の間を通し、パタークラブ６のヘッド８とボールを両接触体１８の下に位置させて、行う。
パタークラブ６のヘッド８の近くにアタッチメント２０が取り付けられる。
このアタッチメント２０は、二つの検知体２２を有する。各検知体２２は、コの字状断面を有する。そして、パタークラブ６のヘッド８が正しい位置と姿勢であれば、これら二つの検知体２２は、コの字状断面が一対の接触体１８をそれぞれ非接触で挟んだ状態にできる位置に取り付けられる。位置と姿勢が正しくなければ、検知体２２は接触体１８に接触する。接触が検知されると、後述する警告回路により、音又は光により警告が発せられる。
コ字状検地体の代わりに上辺部又は下辺部がないL字状検地体（図示しない）でもよい。【００１７】
さらに、各検知体２２は、コの字状断面の縦辺部２４、上辺部２６、及び下辺部２８に合計３つの接触センサー３０Ａ，３０Ｂ，３０Ｃが配置され、接触体１８との接触を検知する。いづれの接触センサー３０Ａ，３０Ｂ，３０Ｃにおいて検知が起きたかにより音又は光により異なる警告が発せられる。接触は、接触体１８に電気を流し、接触した場合に通電を検知することにより判断する。【００１８】
（支持具１４）
図４に示すように、支持具１４は金属製、又はプラスチック製で、ベース部材１０としてのゴルフクラブ１２を挟持するためのクランプ１６を有する。
クランプ１６を構成する爪３２は、ピン３４周りに、図示しないコイルバネにより閉じる方向に付勢される。このクランプ１６に、ベース部材１０の長手方向と平行な第一回動軸４０が設けられる。第一回動軸４０に、伸縮可能な支柱３８が上方へ設けられる。この支柱３８の上端には、第二回動軸４１が設けられ、さらに第三回同軸４２が設けられる。第三回同軸４２には、伸縮可能な支持腕４４が左右に水平に設けられる。支持腕４４の方向は、回動軸４０，４１，４２と直行する。支持腕４４の先端には、接触体１８を固定する固定手段４６が設けられる。この固定手段４６は、支持腕４４の先端で上方へ突設される雄ネジ４８と、この雄ネジ４８に螺合するネジ孔５０が設けられた押さえ金具５２である。【００１９】
（接触体１８）
図１、図４（Ｂ）に示すように、接触体１８は、紐状で、金属製で一定の伸縮性を有する。１本でも足りるが一対が使用されることが望ましい。接触体１８が図２で右側被疑側紐状の両端部には、リング部５４が形成される。このリング部５４は、支持具１４の雄ネジ４８に通され、この雄ネジ４８に螺合するネジ孔５０が設けられた押さえ金具５２で押さえられ、押さえ金具５２が回転されて、強固な固定が行われる。このようにして、両接触体１８は空中に平行に、直線的に支持される。【００２０】
（アタッチメント２０）
図１、図２、図３に示すように、アタッチメント２０は、パタークラブ６のヘッド８の近くに取り付けられる取り付けスリーブ５６を有する。このスリーブ５６は、図示しない開閉機構により開閉する。このスリーブから、前後に、すなわちヘッド８の方向及び反対方向に、腕５８が設けられる。各腕５８に検知体２２が設けられる。【００２１】
（検知体２２）
図２に示すように、検知体２２は、コの字状又はL字状を有し、パタークラブ６のヘッド８に対して前後に、すなわちヘッド８の方向及び反対方向に、向いている。
各コの字状断面の縦辺部２４、上辺部２６、及び下辺部２８には、合計３つの接触センサー３０Ａ，３０Ｂ，３０Ｃが配置される。接触センサー３０Ａ，３０Ｂ，３０Ｃは、機械的なリミットスイッチ、あるいは、表面の金属部分に金属製の接触体１８が接触すると、接触体１８及び支持具１４を抵抗体としてグランド（地面又は床面）に微弱な電流が流れ、この電流を感知することにより内部の半導体スイッチが作動するタッチスイッチを、使用できる。検知体センサーとしては接触スイッチ、近接センサー、光電センサーなどを利用できる。【００２２】
（警告回路）
図５に示すように、警告回路５９は、アタッチメント２０に内蔵される。
各接触センサー３０Ａ，３０Ｂ，３０Ｃからの検出信号は、検知部６０を通って制御部６２で制御される。合計６つの接触センサー３０Ａ，３０Ｂ，３０Ｃのうち検知が行われているものの組み合わせから、パタークラブ６のヘッド８の位置と姿勢が判別されるので、接触が起きたときの練習者の癖が判別され、それらに応じて、警告部６４を通し、ＬＥＤ６６による照明や、ブザー６８あるいはスピーカーからの音による異なる警告が行われる。また、表示部７０の液晶画面により、絵や文字による警告表示がなされる。
これらの警告を行う照明の選択、音量の選択、音色の選択が、手動により操作部７２により行われる。また、電源部７４のオン・オフも手動により操作部７２により行われる。【００２３】
（作用）
前述したように、二つの検知体２２で合計６個（コの字状の場合には６個、L字状の場合には４個）設けられる接触センサー３０Ａ，３０Ｂ，３０Ｃのうち検知が行われているものの組み合わせから、パタークラブ６のヘッド８の位置と姿勢が判別されるが、その一例を図６に示す。
すなわち、水平断面図を示す図（Ａ）において、検知体２２のコの字状断面の縦辺部２４の接触センサー３０Ａ，３０Ａが二つともに接触を検知していれば、ヘッド８の位置は正しいものの、クラブヘッドが水平面内で回動しており、正しくない。練習者はヘッド８をひねる癖を有することが判別される。【００２４】
また垂直面を示す図（Ｂ）において、検知体２２のコの字状断面の上辺部２６、及び下辺部２８の接触センサー３０Ｂ，３０Ｃが二つともに接触を検知していれば、姿勢が垂直面内で回動しており、正しくない。練習者は、いわゆるダフリ、又はトップの癖を有することが判別し警告されるので、いわゆる押し出し、引っ掛けなどの癖を矯正できる。【００２５】
「実施形態の効果」
この実施形態によれば、検知体２２が接触体１８との接触を検知すると音、光、及び液晶画面による表示により警告が発せられるので、パタークラブ６が接触体１８に触れたことがわかりやすい。また、コの字状断面を有する二つの検知体２２が、一対の接触体１８をそれぞれ非接触で挟んだ状態にされるので、水平面内だけでなく垂直面内でも真っ直ぐで、しかも、ヘッド８の姿勢も正しい姿勢を保つストロークを行わないと、検知体２２に接触体１８が接触する（図６参照）ので、より完全な打撃ストローク練習ができる。【００２６】
さらに、検知体２２のコの字状の縦辺部２４、及び上下辺部のいづれの接触センサー３０Ａ，３０Ｂ，３０Ｃにおいて検知が起きたかにより音又は光により異なる警告を発せられるので、練習者は、ひねり、ダフリ、トップなどの自分の打撃ストロークにおける癖を正確に認識できる。【００２７】
さらに、ベース部材１０は、練習するパタークラブ６以外のゴルフクラブ１２を利用する。しかも、練習者は通常、多数種類のゴルフクラブ１２を用意するので、利用するクラブに不自由しない。よって、大型になりやすい専用のベース部材１０を携帯する必要がなく、装置の携帯性に優れる。【００２８】
さらに、支持具１４は、支柱３８や支持腕４４が伸縮可能であることから、装置がコンパクトになり、携帯性に優れる。
「他の実施形態」
以上の実施形態では、検知体２２は、コの字状断面の縦辺部２４、及び上下辺部に合計３つの接触センサー３０Ａ，３０Ｂ，３０Ｃを有するものであったが、他の実施形態では、これらをまとめてひとつの接触センサーとすることも可能である。【００２９】
以上の実施形態では、ベース部材１０は、ゴルフクラブ１２を利用するものであったが、他の実施形態では、専用ベース部材とし、長手方向に伸縮可能であり、両端に、地中に打ち込むアンカーを取り付けることができるものとすることができる。【００３０】
以上の実施形態では、固定手段４６の手段はネジであったが、他の実施形態では、フック等も用いることが可能である。
以上の実施形態では、接触体１８は金属製の紐状体をなすものであったが、他の実施形態では、たとえば、接触センサーが機械的なリミットスイッチを使用するときには、金属製でなくてもかまわない。また、紐状ではなく、棒状とすることができる。
また、電気的な接触による接触体１８として、伸縮する紐状のものを用いることも可能である。すなわち、たとえば内部にゴム製などの伸縮する紐を有し、その外周に金属製のスリーブを、長手方向に複数に分割して配置することができる。そして分割位置で、伸縮による変位を吸収できる。この吸収は、分割位置で、隣り合うスリーブが重なるように、径を変化させることで、より十分になる。
このように伸縮可能とすることで、クラブヘッド８を紐１８の間に、容易に通すことができる。【００３１】
以上の実施形態では、検知体２２は合計３つの接触センサー３０Ａ，３０Ｂ，３０Ｃを有するものであったが、図７及び図８に示す第二実施形態のように、４つ目の斜めの接触センサー３０Ｄを設けることができ、より細かな検知、警告が可能になる。また、この第二実施形態では、アタッチメント２０はクリップ式に取り付けられる構造を有する。なお、図中、第一実施形態と同様の機能を有する部分には同一の符号を付す。【００３２】
すなわち、図７に示すように、パタークラブ６に取り付けるためのアタッチメント２０が有するスリーブ５６は、半割形状をなし、直径上の分割ライン８０で分割されている。図８に示すように、分割されたスリーブ５６のそれぞれの分割部分８２，８２から、３つのリブ８４，８６，８８が互いに９０度の位置で放射状に伸び、検知体２２に連続する。これら二つの検知体２２の分割ライン８０に沿ったリブ８４，８８は、互いに向かい合う。そして、向かい合った状態の一方の端部で、回動軸９０周りに回動可能に設けられる。これら向かい合うリブ８４、８４，８８、８８には、回動軸９０周りにＵ字状に屈曲し半割形状に対応して屈曲する一枚の板バネ９２（図８（Ｃ））が、一体的に内蔵される。【００３３】
この板バネ９２の働きにより、スリーブ５６の二つの分割部分、及びそれぞれに連続する検知体２２は、閉じる方向へ付勢される。そして、閉じた状態では、パタークラブ６を半割のスリーブ５６内に挟み込む。よって、簡単なクリップ式の取付けを行うことが可能になる。  
検知体２２は、縦断面はコの字状を有し、コの字状断面の縦辺部、上辺部、及び下辺部には、第一実施形態と同様に、３つの接触センサー３０Ａ，３０Ｂ，３０Ｃが配置される。のみならず、縦辺部は、図８（Ｂ）に示すように、水平面内で等脚台形状をなし、等脚台形の脚部に相当する斜面に、接触センサー３０Ｄを設ける。この斜めの接触センサー３０Ｄによる接触が、他の接触センサーの接触と区別されて検知されることで、シャフトのひねりなどのゴルファーの癖に対応して、より細かな検知、警告が可能になる。【００３４】
更なる態様として、前記紐状体又は棒状体の接触体１８は、ステンレス鋼の線材を含む金属線材で、前記検知体の内側に電気接点を備えた検知体とすることもできる。
ステンレス鋼の線材はさびなく、検地体の電気接触点に接触すると通電し、接触したことを簡単に認識できるからである。【００３５】
ステンレス鋼の線材はさびなく、検地体の電気接触点に接触すると通電し、接触したことを簡単に認識できる利点がある。【００３６】
さらに、前記紐状体又は棒状体の接触体１８は、例えばプラスチックの紐状又は棒状体の中空体であって、その内部に配線された複数のLED１０５を備え、一端に２個の金属板１０１、１０２がゴムなどの弾性体１０３を挟んで備えられ、それぞれの金属板に電池からの電極が接続された回路１０４があり、前記紐状体又は棒状体がパタークラブにより変形伸張されると前記金属板が接触して、導通し、前記LEDが点灯し、外側から目視で認識できる構成となっていることを特徴とするパター練習機である。
LEDは小さい電池で発光し、練習機自体を軽量とし、ストロークが正しかったかどうかどうかを容易に判断できる
【図面の簡単な説明】
【００３７】
【図１】この発明の第一実施形態を示す全体斜視図である。
【図２】図１の要部をII方向から見て一部を断面にした矢視図である。
【図３】図２の平面図である。
【図４】図１の別の要部をIＶ方向から見た矢視図である。
【図５】図３のアタッチメントに内蔵される警告回路の概略回路図である。
【図６】この実施形態の作用を示す図で、（Ａ）は図３の断面図、（Ｂ）は図２を側方から見た図である。
【図７】この発明の第二実施形態を示す斜視図である。
【図８】図７の要部を示す図で、（Ａ）は平面図、（Ｂ）は水平断面図、（Ｃ）は使用される板バネの平面図である。
【図９】LEDを内臓した紐状体を点滅する態様を示す図である。
【図１】
2008136304.tif 000003
【図２】
2008136304.tif 000004
【図３】
2008136304.tif 000005
【図４】
2008136304.tif 000006
【図５】
2008136304.tif 000007
【図６】
2008136304.tif 000008
【図７】
2008136304.tif 000009
【図８】
2008136304.tif 000010
【図９】
2008136304.tif 000011
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
ゴルフパタークラブのヘッドを目標に直線的にストロークするための練習装置であって、
（１）地面に置かれる長物のベース部材（１０）と、
（２）このベース部材の長手方向の２ヵ所に設けられる支持具（１６）と、
（３）これらの支持具により空中に平行に直線的に支持される紐状又は棒状の一対の接触体（１８）と、
（４）前記パタークラブのヘッド（８）の近くに取り付けられるアタッチメント（２０）と、
（５）このアタッチメントを構成しパタークラブのヘッドが正しい位置と姿勢であれば前記一対の接触体（１８）をそれぞれ非接触で挟んだ状態にできるコの字状、またはＬ字状の断面を有する二つの検知体（２２）と、
（６）この検知体が前記接触体との近接及び／又は接触を検知すると音又は光により警告を発する警告回路と、
を有することを特徴とするゴルフパター練習装置。
【請求項２】
前記検知体は、前記コの字状またはＬ字状断面の縦辺部、及び上辺部又は下辺部に配置され前記接触体との近接及び／又は接触を検知できる複数の接触センサーを有し、前記警告回路は、前記縦辺部、及び上辺部又は下辺部のいづれの接触センサーにおいて検知が起きたかにより音又は光により異なる警告を発することを特徴とする請求項１に記載のゴルフパター練習装置。
【請求項３】
前記検知体は、前記コの字状又はＬ字状断面の縦辺部、及び上辺部又は下辺に配置され前記接触体との近接及び／又は接触を検知できる複数の接触センサーを有し、各接触センサーのいづれにおいて検知が起きたかにより音又は光により異なる警告を発することを特徴とする請求項１、または２に記載のゴルフパター練習装置。
【請求項４】
前記パタークラブのヘッドの近くに取り付けられる前記アタッチメントは、半割形状をなし、半割の分割ラインに沿って設けられる板バネにより、クリップ式の取付けを行う構造を有することを特徴とする請求項１から３のいずれかに記載のゴルフパター練習装置。
【請求項５】
前記ベース部材は、前記パタークラブ以外のゴルフクラブに代えて棒状体を用いるものであり、前記支持具は、前記ベース部材に着脱可能に取り付けられるクランプを有することを特徴とする請求項１から４のいずれかに記載のゴルフパター練習装置。
【請求項６】
前記ベース部材は、長手方向に伸縮可能であり、前記支持具は、前記ベース部材に着脱可能に取り付けられるクランプを有し、支柱及び、前記接触体を支持する支持腕が伸縮可能であることを特徴とする請求項１から５のいずれかに記載のゴルフパター練習装置。
【請求項７】
前記支持具は、伸縮可能な機構を有することを特徴とする請求項１から６のいずれかにに記載のゴルフパター練習装置。
【請求項８】
前記紐状又は棒状の接触体（１８）は、ステンレス鋼の線材を含む金属線材で、前記検地体の内側に電気接点を備えた検知体であることを特徴とする請求項１から７にいずれかに記載のゴルフパター練習装置。
【請求項９】
前記紐状体又は棒状体の接触体（１８）は、紐状又は棒状体は中空体であって、その内部に配線された複数のＬＥＤを備え、一端に２個の金属板が弾性体を挟んで備えられ、それぞれの金属板に電池からの電極が接続され、前記紐状体又は棒状体がパタークラブにより伸張されると前記金属板が接触して、同通し、前記ＬＥＤが点灯する構成となっていることを特徴とするパター練習機。
【国際調査報告】
2008136304.tif 000012
2008136304.tif 000013
2008136304.tif 000014
2008136304.tif 000015